【事件の表示】
　平成　７年特許願第２１３５０８号「プログラム処理方法と情報処理装置」拒絶査定不服審判事件〔平成　９年　３月　７日出願公開、特開平　９−　６２４９１〕について、次のとおり審決する。
【結　論】
　本件審判の請求は、成り立たない。
【理　由】
１．手続の経緯
　本願は、平成７年８月２２日の出願であって、平成１６年１２月３日付けで拒絶の理由が通知され、平成１７年２月７日付けで手続補正がなされたが、同年４月４日付けで拒絶査定がなされた。
　これに対し、同年５月１２日に拒絶査定に対する審判請求がなされ、同年６月８日付けで手続補正がなされ、当審において、平成２０年１月９日付けで拒絶の理由が通知され、同年３月１７日付けで意見書が提出されるとともに手続補正がなされたものである。
　
２．本願発明
　本願の請求項１に係る発明（以下、「本願発明」という。）は、平成２０年３月１７日付けの手続補正書によって補正された特許請求の範囲の請求項１に記載された、次のとおりのものである。
　
「記録媒体を再生する記録媒体再生手段と、上記記録媒体に記録されているプログラムが組み込まれるプログラム組み込み手段と、上記記録媒体再生手段と上記プログラム組み込み手段の動作を制御する制御手段とを有した情報処理装置で、上記プログラム組み込み手段へのプログラムの組み込みを行うプログラム処理方法において、
　上記制御手段は、
　上記記録媒体に記録されている複数のプログラムからファイル名の拡張子に基づいて実行形式のプログラムを検索する工程と、
　検索された実行形式のプログラムが上記情報処理装置に存在するか否かを判別する工程と、
　上記情報処理装置に存在しない上記実行形式のプログラムを組み込み用プログラムとして実行して、上記記録媒体に記録された複数のプログラムを上記情報処理装置のプログラム組み込み手段に組み込む工程とを行う
ことを特徴とするプログラム処理方法。」
　
３．引用発明
　当審による平成２０年１月９日付けの拒絶理由に引用された刊行物である、特開平５−２７４１５５号公報（以下、「引用文献１」という。）には、図面とともに以下の事項が記載されている。
　
Ａ．「【０００１】
【産業上の利用分野】本発明は自動プログラム起動機能を備えるフロッピーディスク装置に関し、特にＵＮＩＸ（ＵＮＩＸはＡＴ＆Ｔ社の商標）システムにおいてＥＷＳ（Ｅｎｇｉｎｅｅｒｉｎｇ  Ｗｏｒｋ  Ｓｔａｔｉｏｎ）のアプリケーションプログラムのインストール，アプリケーションプログラムの起動およびシステムシャットダウンの自動化に関する。」
　
Ｂ．「【０００９】図１は、本発明の一実施例に係る自動プログラム起動機能を備えるフロッピーディスク装置が搭載されたＥＷＳ等でなるＵＮＩＸシステムのハードウェア構成図である。このＵＮＩＸシステムは、中央処理装置１と、システムバス２と、主記憶装置３と、磁気ディスク制御部４と、磁気ディスク５と、入出力制御装置６と、入出力装置７と、フロッピーディスク装置１０と、磁気テープ装置３１とから構成されている。
【００１０】主記憶装置３および磁気ディスク５から構成される仮想記憶空間上には、オペレーティングシステムとしてのＵＮＩＸ２０がロードされている（図示は、主記憶装置３上のみ）。
【００１１】フロッピーディスク装置１０は、フロッピーディスク８に対する入出力を制御するフロッピーディスク制御部１１と、中央処理装置１に割込みを通知できるように入出力制御装置６に接続されたマイクロプロセッサ１２と、起動用ファームウェア１４が格納されたリードオンリメモリ（以下、ＲＯＭと略記する）とを含んで構成されている。
【００１２】フロッピーディスク８には、自動実行コマンドファイル（例えば、ａｕｔｏｅｘｅｃ）９が格納され、自動実行コマンドファイル９には、シェルスクリプトで記述されたアプリケーションプログラム３０のインストールに必要となるコマンド群，アプリケーションプログラム３０の実行に必要となる環境設定を行うコマンド群およびアプリケーションプログラム３０の起動を指示するコマンド群が登録されている。
【００１３】磁気テープ装置３１には、アプリケーションプログラム３０が格納された磁気テープが装填されている。」
　
Ｃ．「【００１５】図３を参照すると、本実施例の自動プログラム起動機能を備えるフロッピーディスク装置によるアプリケーションプログラム３０の自動実行処理は、自動プログラム起動専用スイッチ押下ステップＳ１と、フロッピーディスク装填ステップＳ２と、自動実行コマンドファイル有無判定ステップＳ３と、エラー表示ステップＳ４と、割込み信号通知ステップＳ５と、自動実行コマンドファイル起動ステップＳ６と、アプリケーションプログラムのインストール，環境設定および起動ステップＳ７と、自動プログラム起動専用スイッチ再押下ステップＳ８と、割込み信号通知ステップＳ９と、シャットダウン処理起動ステップＳ１０とからなる。」
　
Ｄ．「【００１９】自動プログラム起動モードでフロッピーディスク８がフロッピーディスク装置１０のフロッピーディスク挿入口１５に装填されると（ステップＳ２）、起動用ファームウェア１４は、ＵＮＩＸ２０に割込み信号を通知してマウントコマンドを発行する。
【００２０】ＵＮＩＸ２０は、割込み信号を受けて割込み処理を開始し、マウントコマンドに基づいてフロッピーディスク装置１０をＵＮＩＸ２０のファイルシステムの固定ディレクトリに自動マウントする。これにより、フロッピーディスク８は、ＵＮＩＸ２０によって固定ディレクトリ配下のファイルとして認識される。
【００２１】次に、起動用ファームウェア１４は、フロッピーディスク８内の内容を調べるためにファインドコマンドをＵＮＩＸ２０に対して発行する。
【００２２】ＵＮＩＸ２０は、ファインドコマンドに基づいてフロッピーディスク８がＵＮＩＸ２０でアクセス可能なファイル形態であるのかどうかおよびフロッピーディスク８内に自動実行コマンドファイル９が存在するか否かをチェックする（ステップＳ３）。
・・・（中略）・・・
【００２５】ＵＮＩＸ２０でアクセス可能なファイル形態でありかつ自動実行コマンドファイル９を格納するフロッピーディスク８であることが確認できたならば、起動用ファームウェア１４は、ＵＮＩＸ２０に割込み信号を通知し（ステップＳ５）、固定ディレクトリ（フロッピーディスク装置１０）配下の自動実行コマンドファイル９をコマンドインタプリタに入力するコマンドを発行する（ステップＳ６）。
【００２６】ＵＮＩＸ２０は、割込み信号を受けて割込み処理を開始し、コマンドに基づいてコマンドインタプリタで自動実行コマンドファイル９の内容を入力して実行する（ステップＳ７）。これにより、アプリケーションプログラム３０が磁気テープ装置３１から磁気ディスク５にインストールされ、アプリケーションプログラム３０を実行するための環境が設定され、アプリケーションプログラム３０が起動される。」
　
（ａ）上記Ａの記載からみて、引用文献１には、ＵＮＩＸシステムにおける、アプリケーションプログラムのインストール方法に関する発明が記載されている。
　
（ｂ）上記Ｂの記載からみて、引用文献１に記載のＵＮＩＸシステムは、フロッピーディスク装置と、磁気テープ装置と、磁気ディスクと、中央処理装置を備えている。
　ここで、上記フロッピーディスク装置及び磁気テープ装置が、それぞれ、フロッピーディスク及び磁気テープを再生するものであること、フロッピーディスク装置、磁気テープ装置及び磁気ディスクの動作の制御が上記中央処理装置によって行われることは、当業者には自明である。
　
（ｃ）上記Ｄに「これにより、アプリケーションプログラム３０が磁気テープ装置３１から磁気ディスク５にインストールされ」と記載されているように、上記磁気ディスクは、上記磁気テープに記録されているアプリケーションプログラムがインストールされるものである。
　このことから、上記アプリケーションプログラムのインストール方法は、上記磁気ディスクへのアプリケーションプログラムのインストール方法と言える。
　
（ｄ）上記Ｂ−Ｄの記載からみて、引用文献１に記載の方法は、上記フロッピーディスク内に、例えばａｕｔｏｅｘｅｃなどの自動実行コマンドファイルが存在するか否かをチェックするステップと、チェックされた自動実行コマンドファイルを実行して、上記磁気テープに記録されたアプリケーションプログラムを上記ＵＮＩＸシステムの磁気ディスクにインストールするステップとを備えている。
　また、これらのステップが上記中央処理装置によって行われるものであることは明らかである。
　
　よって、上記Ａ−Ｄの記載事項及び関連する図面を参照すると、引用文献１には、次の発明（以下、「引用発明」という。）が記載されていると認められる。
　
「フロッピーディスクを再生するフロッピーディスク装置と、磁気テープを再生する磁気テープ装置と、上記磁気テープに記録されているアプリケーションプログラムがインストールされる磁気ディスクと、上記フロッピーディスク装置、磁気テープ装置及び磁気ディスクの動作を制御する中央処理装置とを有したＵＮＩＸシステムにおける、上記磁気ディスクへのアプリケーションプログラムのインストール方法において、
　上記中央処理装置は、
　上記フロッピーディスクに例えばａｕｔｏｅｘｅｃなどの自動実行コマンドファイルが存在するか否かをチェックするステップと、
　チェックされた自動実行コマンドファイルを実行して、上記磁気テープに記録されたアプリケーションプログラムを上記ＵＮＩＸシステムの磁気ディスクにインストールするステップとを行う
ことを特徴とする方法。」
　
４．対比
（ａ）本願発明と引用発明とを対比すると、引用発明における「アプリケーションプログラム」の「インストール」は、本願発明における「プログラム」の「組み込み」に相当し、引用発明の「フロッピーディスク」、「フロッピーディスク装置」、「アプリケーションプログラムがインストールされる磁気ディスク」、「中央処理装置」、「ＵＮＩＸシステム」及び「アプリケーションプログラムのインストール方法」は、それぞれ、本願発明の「記録媒体」、「記録媒体再生手段」、「プログラムが組み込まれるプログラム組み込み手段」、「制御手段」、「情報処理装置」及び「プログラムの組み込みを行うプログラム処理方法」に相当する。
　
（ｂ）引用発明の「ａｕｔｏｅｘｅｃなどの自動実行コマンドファイル」が、実行形式のプログラムであることは明らかであるから、上記自動実行コマンドファイルが存在するか否かをチェックするとは、すなわち、所定の実行形式のプログラムが存在するかどうか検索してみることであり、引用発明の「上記フロッピーディスクに例えばａｕｔｏｅｘｅｃなどの自動実行コマンドファイルが存在するか否かをチェックするステップ」と、本願発明の「上記記録媒体に記録されている複数のプログラムからファイル名の拡張子に基づいて実行形式のプログラムを検索する工程」とは、記録媒体に記録されている所定の実行形式のプログラムを検索する工程である点で、一致する。
　
（ｃ）引用発明の「自動実行コマンドファイル」は、アプリケーションプログラムのインストールを行うため、すなわち、プログラムの組み込みを行うため実行されるプログラムであって、本願発明の「組み込み用プログラム」に相当し、アプリケーションプログラムのインストールにおいては、インストール用プログラムの実行により、複数のプログラムが記憶装置に組み込まれることが一般的であるから、引用発明の「チェックされた自動実行コマンドファイルを実行して、上記磁気テープに記録されたアプリケーションプログラムを上記ＵＮＩＸシステムの磁気ディスクにインストールするステップ」と、本願発明の「上記情報処理装置に存在しない上記実行形式のプログラムを組み込み用プログラムとして実行して、上記記録媒体に記録された複数のプログラムを上記情報処理装置のプログラム組み込み手段に組み込む工程」とは、所定の実行形式のプログラムを組み込み用プログラムとして実行して、複数のプログラムを情報処理装置のプログラム組み込み手段に組み込む工程である点で、一致する。
　
　したがって、本願発明と引用発明とは、
「記録媒体を再生する記録媒体再生手段と、プログラムが組み込まれるプログラム組み込み手段と、上記記録媒体再生手段と上記プログラム組み込み手段の動作を制御する制御手段とを有した情報処理装置で、上記プログラム組み込み手段へのプログラムの組み込みを行うプログラム処理方法において、
　上記制御手段は、
　上記記録媒体に記録されている所定の実行形式のプログラムを検索する工程と、
　上記所定の実行形式のプログラムを組み込み用プログラムとして実行して、複数のプログラムを上記情報処理装置のプログラム組み込み手段に組み込む工程とを行う
ことを特徴とするプログラム処理方法。」
である点で一致し、以下の３点で相違している。
　
［相違点１］
　プログラム組み込み手段に組み込まれるプログラムが、本願発明では、「上記記録媒体に記録されているプログラム」であり、組み込み用プログラムが記録されている記録媒体と同じ記録媒体に記録されているのに対し、引用発明では、「磁気テープに記録されているアプリケーションプログラム」であり、組み込み用プログラムに相当する自動実行コマンドファイルが記録されているフロッピーディスクとは別の記録媒体である磁気テープに記録されている点。
　
［相違点２］
　記録媒体に記録されている所定の実行形式のプログラムの検索が、本願発明では、「記録媒体に記録されている複数のプログラムからファイル名の拡張子に基づいて」行われるのに対し、引用発明では、ａｕｔｏｅｘｅｃなどの自動実行コマンドファイルが存在するか否かをチェックするとはされているが、具体的にどのような方法で、検索しているのか特定されていない点。
　
［相違点３］
　本願発明が、「検索された実行形式のプログラムが上記情報処理装置に存在するか否かを判別する工程」を含み、「上記情報処理装置に存在しない上記実行形式のプログラム」を組み込み用プログラムとして実行するのに対し、引用発明には、本願発明の「検索された実行形式のプログラムが上記情報処理装置に存在するか否かを判別する工程」に対応するステップがなく、チェックされた自動実行コマンドファイルがそのまま実行される点。
　
５．当審の判断
　以下、上記各相違点について検討する。
　
［相違点１について］
　アプリケーションプログラムのインストールにおいて、ＣＤ−ＲＯＭ等の大容量の記録媒体を用い、アプリケーションプログラムのインストーラとアプリケーションプログラム本体を同一の記録媒体上に格納して提供することは、当審による平成２０年１月９日付けの拒絶理由に引用された刊行物である、”ＩＩＪ　Ｏｆｆｉｃｉａｌ　Ｓｔａｒｔｅｒ　Ｋｉｔ　セットアップガイド”，ＩＮＴＥＲＮＥＴ  ｍａｇａｚｉｎｅ  １９９５年７月号付録，株式会社インプレス，１９９５年７月１日，ｐ．１３−２５（特に、１３〜１４頁の１．Ｉｎｔｅｒｎｅｔ　Ｃｈａｍｅｌｅｏｎ評価版のインストール、及び、１８〜２０頁の４．Ｉｎｔｅｒｎｅｔ　Ｏｆｆｉｃｅ評価版のインストールの説明を参照。）に記載されているように周知であるから、同じくアプリケーションプログラムのインストール方法に関する発明である引用発明において、この周知技術を採用し、インストーラに相当する自動実行コマンドファイルと、その実行により磁気ディスクに組み込まれるアプリケーションプログラムとを、同一の大容量記憶媒体に記憶させる構成とすることに、格別の困難性はない。
　よって、相違点１は格別のものではない。
　
［相違点２について］
　記録媒体に記録されたプログラムを自動実行する場合に、記録媒体に記憶されている複数のプログラムから、実行形式のプログラムをファイル名の拡張子に基づいて検索し、実行すべきプログラムを決定することは、当審による平成２０年１月９日付けの拒絶理由に引用された刊行物である特開平７−６０２８号公報（以下、「引用文献２」という。特に、段落【００３６】〜【００３８】、【００４５】〜【００４６】及び図１、図３、図４を参照。）に記載されているように公知の技術であるから、上記公知技術と同様、記録媒体（フロッピーディスク）に記録されているプログラム（自動実行コマンドファイル）を実行する引用発明に、上記公知技術を適用し、所定の実行形式のプログラムの検索を、本願発明同様、記録媒体に記録されている複数のプログラムからファイル名の拡張子に基づいて行うようにすることは、当業者が容易になし得ることである。
　よって、相違点２は格別のものではない。
　
［相違点３について］
　アプリケーションプログラムのインストールを行う場合に、インストールしようとするプログラムが、既にインストール済みであるか否かを判断して、２重にインストール作業が行われることを避けることは、本願の出願日前に頒布された刊行物である特開平７−６４７７１号公報（特に、段落【００１９】〜【００２０】、【００３７】〜【００３８】を参照。）に記載されているように周知であるから、同じくアプリケーションプログラムのインストール方法に関する発明である引用発明において、この周知技術を採用し、フロッピーディスクの検索によりチェックされた自動実行コマンドファイルが、既にインストール済みであるか否か、すなわち、インストール先であるＵＮＩＸシステムに存在するか否かを判断する工程を設けることにより、ＵＮＩＸシステムに存在しないと判断された自動実行コマンドファイルを実行するようにして、本願発明と同様の構成することは、当業者が容易になし得ることである。
　よって、相違点３は格別のものではない。
　
　そして、本願発明の構成によってもたらされる効果も、引用発明、上記引用文献２に記載の公知技術、及び周知技術から当業者ならば容易に予測することができる程度のものであって、格別のものとはいえない。
　
６．むすび
　以上のとおり、本願発明は、引用文献１，２に記載された発明及び周知技術に基づいて、当業者が容易に発明をすることができたものであるから、特許法第２９条第２項の規定により特許を受けることができない。
　
　
　よって、結論のとおり審決する。